(57)【要約】【課題】船舶などの移動体において、比較的、長い波長の無線信号を送受信するアンテナを提供する。【解決手段】例えば、車両・船舶の外部の金属壁に横長の開口部４００（窓など）がある場合には、その開口部枠４０２（窓枠）に適宜、開口部枠４０２および窓ガラスなどを支える絶縁支柱４０６−１〜４０６−４を配設し、開口部枠４０２に対して適切な位置に給電点３００を設けることにより、スロットアンテナを構成することができる。このスロットアンテナは、開口部４００の長手方向の２倍の波長の無線信号の送受信に適している。【選択図】　　　　　図４
2004134922.tif 000002
【特許請求の範囲】
【請求項１】
移動体の外壁に形成された開口部と、
前記開口部との間で信号を受け渡す給電点と
を有するアンテナ。
【請求項２】
それぞれ前記開口部を区切り、所定の周波数の信号に対して選択的に短絡状態となって前記開口部が同調する波長を変更する１つ以上の第１の波長調整手段
をさらに有する請求項１に記載のアンテナ。
【請求項３】
前記第１の波長調整手段は、インダクタとコンデンサとが直列に接続された直列同調回路である
請求項２に記載のアンテナ。
【請求項４】
複数のアンテナ素子と、
１つ以上の第２の波長調整手段と、
前記複数のアンテナ素子の間に接続される１つ以上の第２の波長調整手段と
を有するアンテナであって、
前記第２の波長調整手段それぞれは、
前記２つの長辺それぞれと接続された２つの外部導体と、
前記２つの外部導体との間にキャパシタンスを発生させる誘電体と、
前記２つの外部導体の間を接続するインダクタンス素子と
を有する請求項３に記載のアンテナ。
【発明の詳細な説明】
【０００１】
【発明の属する技術分野】
本発明は、船舶などの移動体において、比較的、長い波長の無線信号を送受信するために用いられるアンテナに関する。
【０００２】
【従来の技術】
例えば、特許文献１〜４は、船舶・車両などの移動体において、無線信号を送受信するためのアンテナを開示する。
しかしながらこれらの文献に開示されたアンテナは、ＶＨＦ・ＵＨＦ帯などの比較的、短い波長の信号を送受信するように構成されており、ＨＦ帯より長い波長の信号の送受信には向いていない。
また、ＨＦ帯などの比較的、長い波長の信号を送受信するためのアンテナは大型であり、アンテナ設置のためのスペースの制限が厳しい移動体への設置は難しい。
【０００３】
【特許文献１】特開２００２−１３５０１９号公報
【特許文献２】特開２０００−１５６６０６号公報
【特許文献３】特開平０９−２１４２４１号公報
【特許文献４】特開平０９−０６４６２９号公報
【０００４】
【発明が解決しようとする課題】
本発明は、上述した背景からなされたものであり、船舶などの移動体において、比較的、長い波長の無線信号を送受信するためのアンテナを提供することを目的とする。
また、本発明は、比較的、長い波長の無線信号の送受信が可能であるにもかかわらず、船舶などの移動体への設置が容易なアンテナを提供することを目的とする。
また、本発明は、複数の周波数（波長）の送受信に適したアンテナを提供することを目的とする。
【０００５】
【課題を解決するための手段】
［第１のアンテナ］
上記目的を達成するために、本発明にかかるスロットアンテナは、移動体の外壁に形成された開口部と、前記開口部との間で信号を受け渡す給電点とを有する。
好適には、それぞれ前記開口部を区切り、所定の周波数の信号に対して選択的に短絡状態となって前記開口部が同調する波長を変更する１つ以上の第１の波長調整手段をさらに有する。
【０００６】
好適には、前記第１の波長調整手段は、インダクタとコンデンサとが直列に接続された直列同調回路である。
【０００７】
［第２のアンテナ］
また、本発明にかかる第２のアンテナは、複数のアンテナ素子と、１つ以上の第２の波長調整手段と、前記複数のアンテナ素子の間に接続される１つ以上の第２の波長調整手段とを有するアンテナであって、前記第２の波長調整手段それぞれは、前記２つの長辺それぞれと接続された２つの外部導体と、前記２つの外部導体との間にキャパシタンスを発生させる誘電体と、前記２つの外部導体の間を接続するインダクタンス素子とを有する。
【０００８】
【発明の実施の形態】
［第１〜第５のスロットアンテナ］
以下、本発明の実施形態を説明する。
図１は、本発明にかかるスロットアンテナが適応される船舶１を例示する図である。
図２，図３は、本発明にかかるスロットアンテナが適応される車両２を例示する図である。
なお、以下の各図においては、実質的に同じ構成部分には同じ符号が付してある。
また、以下の説明においては、絶縁支柱４０６−１〜４０６−４（図４を参照して後述）など、複数ある構成部分のいずれかを特定せずに示す場合には、単に、絶縁支柱４２０などと略記することがある。
【０００９】
図１に例示するように、客船などの船舶１の船体１０および船上の構造物は金属で作られることが多く、金属製の船体１０などに開口部を作って適切に給電すると、スロットアンテナとして用いることができる。
また、船舶１には、多数の窓１４が設けられ、その金属製の窓枠１６に対して適切に給電することにより、窓１４をスロットアンテナとして用いることができる。
【００１０】
また、船舶１には、手すり１２が設けられ、手すり１２に適切に給電することにより、スロットアンテナまたはループアンテナとして用いることができる。
なお、図１には、船舶１の舷側（船体１０）に直線状の開口部と給電点３００とを設けた第１のスロットアンテナ３０と、船舶１上の構造物の金属製の外壁（船体１０）に、窓１４に沿って鈎型に曲がった開口部と給電点３００とを設けた第２のスロットアンテナ３２とが例示されている。
スロットアンテナ３０，３２において、給電点３００から供給された無線信号は、スロットアンテナ３０，３２の開口部から空間に送信され、開口部が受けた無線信号（送受信される無線信号）は、給電点３００から取り出される（以下の本発明にかかる各スロットアンテナに同じ）。
【００１１】
また、図２，図３に例示するように、バス・トラックなどの比較的、大型な車両２の車体２０は通常、金属製なので、車体２０（図２，図３においてはトラックのコンテナの外壁）に開口部を作り、適切に給電点３００を設けて給電すると、スロットアンテナとして用いることができる。
図２には、車体２０に直線状の開口部と給電点３００とを設けた第３のスロットアンテナ３４が例示されている。
また、図３には、車体２０に作成された窓１４を避けて、鈎型の開口部と給電点３００とを有する第４のスロットアンテナ３６と、車体２０の内側に車両構成物２２があるなどの理由で開口部の形成ができない部分を避けて「コの字」型に曲げられた開口部と給電点３００とを有する第５のスロットアンテナ３８とが例示されている。
【００１２】
［第６のスロットアンテナ］
図４は、船舶１（図１）の窓枠１６を利用した本発明にかかる第６のスロットアンテナ４０を示す図である。
例えば、船舶１の外部の金属壁４０４（船体１０など）に横長の開口部４００（窓１４など）がある場合には、図４に示すように、その開口部枠４０２（窓枠１６など）に適宜、開口部枠４０２および窓ガラスなどを支える絶縁支柱４０６−１〜４０６−４を配設し、開口部枠４０２に対して適切な位置に給電点３００を設けることにより、スロットアンテナを構成することができる。
図４には、このように船体１０あるいは車体２０（図２，図３）に設けられる第６のスロットアンテナ４０が例示されている。
【００１３】
［第７のスロットアンテナ］
以下、複数の波長（周波数）の無線信号を取り扱うように工夫された本発明にかかる第７のスロットアンテナ４２を説明する。
図５は、船舶１（図１）の窓枠１６を利用した本発明にかかる第７のスロットアンテナ４２を示す図である。
図６は、図５に示したコンデンサ４２２−ｉ，４２２−（ｎ＋ｉ；ｉ＝１〜ｎ）の等価回路を示す図である。
図５に示すように、本発明にかかる第７のスロットアンテナ４２は、図４に示した第６のスロットアンテナ４０の絶縁支柱４０６−１〜４０６−４を、伝導支柱４２０−１〜４２０−２ｎおよびコンデンサ４２２−１〜４２２−２ｎにより置換した構成を採る。
【００１４】
伝導支柱４２０−１〜４２０−２ｎそれぞれは、金属棒や金属パイプなどの導体で構成され、上半分と下半分に別れている。
これら伝導支柱４２０−１〜４２０−２ｎそれぞれの上半分と下半分とは互いに絶縁されているが、図５に示すように、これら上半分および下半分それぞれは、開口部枠４０２の上辺および下辺それぞれに接続・保持され、電気的な導通が図られる。
コンデンサ４２２−１〜４２２−２ｎそれぞれは、図５，図６に示すように、キャパシタンスＣ１〜Ｃｎを有し、伝導支柱４２０−１〜４２０−２ｎそれぞれの上半分と下半分とを接続する。
【００１５】
スロットアンテナ４２において、伝導支柱４２０−１〜４２０−２ｎおよびコンデンサ４２２−１〜４２２−２ｎそれぞれは、図５に示すように、波長λ１〜λｎの無線信号それぞれに対応するように、無線信号それぞれの波長の１／２（λ１／２〜λｎ／２）の間隔に配設され、さらに、開口部枠４０２自体の長手方向は、波長λ０の無線信号に対応して、その波長の１／２の長さ（λ０／２）になっている。
【００１６】
ここで、図５を参照してわかるように、第０〜第ｎの無線信号の波長λ０〜λｎには、λ０＞λｎ＞・・・・＞λ２，λ１の関係にある。
コンデンサ４２２−１，４２２−（ｎ＋１）のキャパシタンスＣ１、コンデンサ４２２−２，４２２−（ｎ＋２）のキャパシタンスＣ２、・・・・、コンデンサ４２２−ｎ，４２２−２ｎのキャパシタンスＣｎを、Ｃ１＜Ｃ２＜・・・＜Ｃｎとすると、コンデンサ４２２−１〜４２２−２ｎそれぞれの最低通過周波数ｆｐＬ１〜ｆｐＬｎを、ｆｐＬ１＞ｆｐＬ２＞・・・・＞ｆｐＬｎとすることができる。
【００１７】
この場合において、第０〜第ｎの無線信号の周波数ｆ０〜ｆｎ（ｆ０〜ｆｎ＝ｃ／λ０〜ｃ／λｎ；ｃは光速）と、上記最低通過周波数ｆｐＬ１〜ｆｐＬｎとの関係を、ｆ１＞ｆｐＬ１＞ｆ２＞ｆｐＬ２＞・・・・＞ｆｎ＞ｆｐＬｎ＞ｆ０となるようにする。
このようにすると、スロットアンテナ４２に対して、第０の無線信号が用いられる場合には、すべての伝導支柱４２０およびコンデンサ４２２は、この第０の無線信号を通過させず、開口部枠４０２自体が波長λ０の第０の無線信号を送信および受信またはこれらのいずれか（送受信）を効率的に行うことになる。
【００１８】
また、同様に、スロットアンテナ４２に対して、第ｎの無線信号が用いられる場合には、伝導支柱４２０−ｎ，４２０−２ｎおよびコンデンサ４２２−ｎ，４２２−２ｎのみが第ｎの無線信号を通過させ、これ以外の伝導支柱４２０およびコンデンサ４２２は、第ｎの無線信号を通過させない。
従って、開口部枠４０２の長手方向の長さは、実質的にλｎ／２となり、開口部枠４０２において、伝導支柱４２０−ｎ，４２０−２ｎおよびコンデンサ４２２−ｎ，４２２−２ｎの間で、波長λｎ（周波数ｆｎ）の第ｎの無線信号の送受信が、効率的に行なわれる。
【００１９】
以下同様に、スロットアンテナ４２に対して、第ｉ（ここではｉ＝１〜ｎ−１）の無線信号が用いられる場合には、伝導支柱４２０−ｎ〜４２０−ｉ，４２０−２ｎ〜４２０−（ｎ＋ｉ）およびコンデンサ４２２−ｎ〜４２２−ｉ，４２２−２ｎ〜４２２−（ｎ＋ｉ）が第ｉの無線信号を通過させ、これ以外の伝導支柱４２０およびコンデンサ４２２は、第ｉの無線信号を通過させない。
従って、開口部枠４０２の長手方向の長さは、実質的にλｉ／２となり、開口部枠４０２において、伝導支柱４２０−ｉ，４２０−（ｎ＋ｉ）およびコンデンサ４２２−ｉ，４２２−（ｎ＋ｉ）の間で、波長λｉ（周波数ｆｉ）の第ｉの無線信号の送受信が、効率的に行なわれる。
【００２０】
［第８のスロットアンテナ］
以下、図７，図８に示した第７のスロットアンテナ４４を改良した第８のスロットアンテナ４４を説明する。
図７は、船舶１（図１）の窓枠１６を利用した本発明にかかるの第８のスロットアンテナ４４を示す図である。
図８は、図７に示した直列同調回路４４０−ｉ，４４０−（ｎ＋ｉ；ｉ＝１〜ｎ）の等価回路を示す図である。
図９は、図７，図８に示した直列同調回路４４０の構成を例示する図である。図７に示すように、本発明にかかる第８のスロットアンテナ４４は、図５に示した第７のスロットアンテナ４０の伝導支柱４２０およびコンデンサ４２２を、絶縁支柱４４２−１〜４４２−２ｎ、直列同調回路４４０−１〜直列同調回路４４０−２ｎおよび伝導支柱４２０−１〜４２０−２ｎの下半分により置換した構成を採る。
【００２１】
図８に示すように、直列同調回路４４０−ｉ，４４０−（ｎ＋ｉ；ｉ＝１〜ｎ）それぞれは、インダクタンスＬｉのインダクタ素子４４４と、キャパシタンスＣｉのコンデンサＣｉとが直列に接続された構成を採り、それぞれ、周波数ｆｉ（＝１／｛２π×（Ｌｉ×Ｃｉ）１／２｝；波長λｉ）の第ｉの無線信号に対して、選択的に短絡状態となる。
【００２２】
なお、図９に示すように、直列同調回路４４０のコンデンサ４４６は、絶縁支柱４４２と伝導支柱４２０との間で、その一方の電極が伝導支柱４２０に接続される。
また、インダクタ素子４４４は、絶縁支柱４４２の内部に配設され、その一方の電極が開口部枠４０２と接続され、その他方の電極がコンデンサ４４６の他方の電極と接続される。
【００２３】
スロットアンテナ４４において、絶縁支柱４４２−１〜４４２−２ｎ、伝導支柱４２０−１〜４２０−２ｎおよび直列同調回路４４０−１〜４４０−２ｎそれぞれは、図７に示すように、第６のスロットアンテナ４２においてと同様に、波長λ１〜λｎの無線信号それぞれに対応するように、無線信号それぞれの波長の１／２（λ１／２〜λｎ／２）の間隔に配設され、さらに、開口部枠４０２自体の長手方向は、波長λ０の無線信号に対応して、その波長の１／２の長さ（λ０／２）になっている。
【００２４】
図７〜図９に示したコンデンサ４４６−１，４４６−（ｎ＋１）のキャパシタンスＣ１、コンデンサ４４６−２，４４６−（ｎ＋２）のキャパシタンスＣ２、・・・・、コンデンサ４４６−ｎ，４４６−２ｎのキャパシタンスＣｎを、Ｃ１＜Ｃ２＜・・・＜Ｃｎとし、インダクタ素子４４４−１，４４４−（ｎ＋１）のインダクタンスＬ１、インダクタ素子４４４−２，４４４−（ｎ＋２）のインダクタンスＬ１、・・・・、インダクタ素子４４４−ｎ，４４４−２ｎのインダクタンスＬｎを、Ｌ１＜Ｌ２＜・・・＜Ｌｎとすると、直列同調回路４４０−１〜４４６−２ｎそれぞれの同調周波数ｆｓ１〜ｆｓｎを、ｆｐＬ１＞ｆｐＬ２＞・・・・＞ｆｐＬｎとすることができる。
【００２５】
この場合において、第０〜第ｎの無線信号の周波数ｆ０〜ｆｎ（ｆ０〜ｆｎ＝ｃ／λ０〜ｃ／λｎ；ｃは光速）と、上記最低通過周波数ｆｐＬ１〜ｆｐＬｎとの関係を、ｆ１＝ｆｐＬ１＞ｆ２＝ｆｐＬ２＞・・・・＞ｆｎ＝ｆｐＬｎ＞ｆ０となるようにする。
このようにすると、スロットアンテナ４４に対して、第０の無線信号が用いられる場合には、すべての伝導支柱４２０およびコンデンサ４４６は、この第０の無線信号を通過させず、開口部枠４０２自体が波長λ０の第０の無線信号を送信および受信またはこれらのいずれか（送受信）を効率的に行うことになる。
【００２６】
また、同様に、スロットアンテナ４４に対して、第ｎの無線信号が用いられる場合には、直列同調回路４４０−ｎ，４４０−２ｎおよび伝導支柱４２０−ｎ，４２０−２ｎのみが第ｎの無線信号を通過させ、これ以外の伝導支柱４２０および直列同調回路４４０は、第ｎの無線信号を通過させない。
従って、開口部枠４０２の長手方向の長さは、実質的にλｎ／２となり、開口部枠４０２において、伝導支柱４２０−ｎ，４２０−２ｎおよび直列同調回路４４０−ｎ，４４０−２ｎの間で、波長λｎ（周波数ｆｎ）の第ｎの無線信号の送受信が、効率的に行なわれる。
【００２７】
以下同様に、スロットアンテナ４４に対して、第ｉ（ここではｉ＝１〜ｎ−１）の無線信号が用いられる場合には、伝導支柱４２０−ｉ，４２０−（ｎ＋ｉ）および直列同調回路４４０−ｉ，４４０−（ｎ＋ｉ）が第ｉの無線信号を通過させ、これ以外の伝導支柱４２０および直列同調回路４４０は、第ｉの無線信号を通過させない。
従って、開口部枠４０２の長手方向の長さは、実質的にλｉ／２となり、開口部枠４０２において、伝導支柱４２０−ｉ，４２０−（ｎ＋ｉ）およびコンデンサ４４６−ｉ，４４６−（ｎ＋ｉ）の間で、波長λｉ（周波数ｆｉ）の第ｉの無線信号の送受信が、効率的に行なわれる。
【００２８】
以上述べたように、第８のスロットアンテナ４４は、コンデンサ４２２（図５，図６）の代わりに直列同調回路４４０を用いているので、周波数選択性に優れており、その特性は第７のスロットアンテナ４２よりも良好になる。
【００２９】
［波長調整器］
以下、本発明にかかる波長調整器およびこれを用いたアンテナを説明する。
図１０は、本発明にかかるダイポールアンテナ５０の構成を示す図である。
図１０に示すように、ダイポールアンテナ５０は、アンテナ素子５０２−００，５０２−０１，５０２−１〜５０２−２ｎから構成される。
これらのアンテナ素子５０２の間には、波長調整器５００−１〜５００−ｎが接続され、波長調整器５００−１，５００−（ｎ＋１）の間に給電点３００が設けられる。
アンテナ素子５０２ー００，５０２−０１の給電点３００に対する遠端同士の間の長さは、第０の無線信号の波長λ０（周波数ｆ０）の１／２（λ０／２）とされる。
【００３０】
また、アンテナ素子５０２ーｎ，５０２−２ｎの給電点３００に対する遠端同士の間の長さは、第ｎの無線信号の波長λｎ（周波数ｆｎ）の１／２（λｎ／２）とされる。
以下同様に、ダイポールアンテナ５０の（ｉ＝１〜ｎ）のアンテナ素子５０２ーｉ，５０２−（ｎ＋ｉ）の給電点３００に対する遠端同士の間の長さは、第ｉの無線信号の波長λｉ（周波数ｆｉ）の１／２（λｉ／２）となるので、これらの間のアアンテナ素子５０２−１〜５０２ーｉ，５０２−（ｎ＋１）〜５０２−（ｎ＋ｉ）は、波長λｉの第ｉの無線信号に対して、１／２波長のダイポールアンテナとして動作する。
【００３１】
図１１は、図１０に示した波長調整器５００の構成を示す図である。
図１２は、図１０，図１１に示した波長調整器５００の等価回路を示す図である。
図１１に示すように、波長調整器５００−ｉ，５００−（ｎ＋ｉ）は、それぞれ２つの部分に分かれた外部導体５０２、インダクタ５００の両端においてアンテナ素子５０２と電気的に接続される２つの接続部５０４、外部導体５０２の内部に充填された誘電体５０６、外部導体５０２の２つの部分を電気的に絶縁して接続する絶縁体（誘電体）５０８、および、インダクタンスＬｉのインダクタ素子５１０から構成される。
【００３２】
波長調整器５００−ｉ，５００−（ｎ＋ｉ）のインダクタンス素子５１０と外部導体５０２との間、および、絶縁体５０２を介した外部導体５０２の２つの部分同士の間には、分布容量５１２（キャパシタンスＣｉ）が生じる。
従って、波長調整器５００−ｉ，５００−（ｎ＋ｉ）は、等価的に、図１２に示すインダクタンスＬｉとキャパシタンスＣｉとの並列同調回路［同調周波数＝１｛２π×（Ｌｉ×Ｃｉ）１／２｝］を構成する。
【００３３】
波長調整器５００−１〜５００−２ｎそれぞれのインダクタ素子５１０のインダクタンスＬ１〜Ｌｎが、Ｌ１＜Ｌ２＜・・・＜Ｌｎとなるようにし、分布容量５１２のキャパシタンスＣ１〜Ｃｎが、Ｃ１＜Ｃ２＜・・・＜Ｃｎとなるようにすると、波長調整器５００ー１〜５００−２ｎの同調周波数ｆｓ１〜ｆｓｎを、ｆｓ１＞ｆｓ２＞・・・＞ｆｓｎ＞ｆ０とすることができる。
この場合において、ｆｓ１＝ｆ１，ｆｓ２＝ｆ２，・・・，ｆｓｎ＝ｆｎ（但し、ｆ１〜ｆｎは、第１〜第ｎの無線信号の周波数）とすると、波長調整器５００−ｉ，５００−（ｎ＋ｉ）は、第ｉの無線信号（波長λｉ；周波数ｆｉ）の無線信号が、アンテナ素子５０２−（ｉ＋１），５０２−（ｎ＋ｉ＋１）に伝わらないように阻止するようになる。
但し、アンテナ素子５０２−０はアンテナ素子５０２−００を意味し、アンテナ素子５０２−ｎ＋１はアンテナ素子５０２−０１を意味する。
【００３４】
つまり、例えば、第ｉの無線信号（周波数ｆｉ，波長λｉ）が給電点３００から供給されると、波長調整器５００−１〜５００−（ｉ−１），５００−（ｎ＋１）〜５００−（ｎ＋ｉ−１）は、この第ｉの無線信号を、それぞれアンテナ素子５０２−２〜５０２−ｉ，５０２−（ｎ＋２）〜５０２−（ｎ＋ｉ）に伝え、波長調整器５００−ｉ，５００−（ｎ＋ｉ）は、この第ｉの無線信号を阻止してアンテナ素子５０２−（ｉ＋１），５０２−（ｎ＋ｉ＋１）には伝えない。
従って、この場合のダイポールアンテナ５０の実効的なアンテナ素子長はλｉ／２となり、第ｉの無線信号が効率的に送受信される。
【００３５】
また、第０の無線信号（周波数ｆ０，波長λ０）が給電点３００から供給されると、波長調整器５００−１〜５００−２ｎは、この第０の無線信号を、それぞれアンテナ素子５０２−２，５０２−（ｎ＋２）〜５０２−００，０１に伝える。
従って、この場合のダイポールアンテナ５０の実効的なアンテナ素子長はλ０／２となり、第０の無線信号が効率的に送受信される。
【００３６】
［変形例］
図１３は、図１０〜図１２に示した波長調整器５００を応用した垂直型アンテナ５２を例示する図である。
図１４は、図１０〜図１２に示した波長調整器５００を応用した逆Ｌ型アンテナ５４を例示する図である。
図１３および図１４に示すように、波長調整器５００は、船体１０（図１）などの接地面５２０とアンテナ素子５０２−１との間に給電点３００を設ける形式の１／４波長の垂直型アンテナ５２および逆Ｌ型アンテナ５４にも応用することができる。
【００３７】
【発明の効果】
以上説明したように、本発明にかかるアンテナによれば、船舶などの移動体において、比較的、長い波長の無線信号を送受信することができる。
また、本発明にかかるアンテナは、比較的、長い波長の無線信号の送受信が可能であるにもかかわらず、船舶などの移動体への設置が容易である。
また、本発明にかかるアンテナは、複数の周波数（波長）の送受信に適している。
【図面の簡単な説明】
【図１】本発明にかかるスロットアンテナが適応される船舶を例示する図である。
【図２】本発明にかかるスロットアンテナが適応される車両を例示する第１の図である。
【図３】本発明にかかるスロットアンテナが適応される車両を例示する第２の図である。
【図４】船舶（図１）の窓枠を利用した本発明にかかる第６のスロットアンテナを示す図である。
【図５】船舶（図１）の窓枠を利用した本発明にかかる第７のスロットアンテナを示す図である。
【図６】図５に示したコンデンサの等価回路を示す図である。
【図７】船舶（図１）の窓枠を利用した本発明にかかるの第８のスロットアンテナを示す図である。
【図８】図７に示した直列同調回路の等価回路を示す図である。
【図９】図７，図８に示した直列同調回路の構成を例示する図である。
【図１０】本発明にかかるダイポールアンテナの構成を示す図である。
【図１１】図１０に示した波長調整器の構成を示す図である。
【図１２】図１０，図１１に示した波長調整器の等価回路を示す図である。
【図１３】図１０〜図１２に示した波長調整器を応用した垂直型アンテナを例示する図である。
【図１４】図１０〜図１２に示した波長調整器を応用した逆Ｌ型アンテナを例示する図である。
【符号の説明】
１・・・船舶、
１０・・・船体、
１２・・・手すり、
１４・・・窓、
１６・・・窓枠、
２・・・車両、
２０・・・車体、
２２・・・車両構成物、
３０，３２，３４，３６，３８，４０，４２，４４・・・スロットアンテナ、
３００・・・給電点、
４００・・・開口部、
４０２・・・開口部枠、
４０４・・・金属壁、
４０６・・・絶縁支柱、
４２０・・・伝導支柱、
４２２，４４６・・・コンデンサ、
４４０・・・直列同調回路、
４４２・・・絶縁支柱、
４４４，５１０・・・インダクタ素子、
５０・・・ダイポールアンテナ、
５２・・・垂直型アンテナ、
５４・・・逆Ｌ型アンテナ、
５００・・・波長調整器、
５０２・・・外部導体、
５０４・・・接続部、
５０６・・・誘電体、
５０８・・・絶縁体、
５０２・・・アンテナ素子、
５１２・・・分布容量、
５２０・・・接地面、
【図１】
2004134922.tif 000003
【図２】
2004134922.tif 000004
【図３】
2004134922.tif 000005
【図４】
2004134922.tif 000006
【図５】
2004134922.tif 000007
【図６】
2004134922.tif 000008
【図７】
2004134922.tif 000009
【図８】
2004134922.tif 000010
【図９】
2004134922.tif 000011
【図１０】
2004134922.tif 000012
【図１１】
2004134922.tif 000013
【図１２】
2004134922.tif 000014
【図１３】
2004134922.tif 000015
【図１４】
2004134922.tif 000016